(57)【要約】【課題】浴室外の空間を有効に利用して入浴に伴う時間全体の快適性を向上させることが可能な住宅を提供する。【解決手段】浴室（１）と、浴室（１）に隣接する脱衣室（２）と、浴室（１）および脱衣室（２）に隣接する屋外敷地（３）を備えた住宅であって、脱衣室（２）と屋外敷地（３）を仕切る掃出窓である脱衣室窓部（７）と、屋外敷地（３）において脱衣室（２）の床レベルと同じ高さで設けられたデッキ（４）と、屋外敷地（３）を囲んで立設されたルーバー（５）を備える住宅。【選択図】図２
2020122261.tif 000002
【特許請求の範囲】
【請求項１】
浴室と、前記浴室に隣接する脱衣室と、前記浴室および前記脱衣室に隣接する屋外敷地を備えた住宅であって、
前記脱衣室と前記屋外敷地を仕切る掃出窓である脱衣室窓部と、
前記屋外敷地において前記脱衣室の床レベルと同じ高さで設けられたデッキと、
前記屋外敷地を囲んで立設されたルーバーを備えることを特徴とする住宅。
【請求項２】
請求項１に記載の住宅であって、
前記屋外敷地に植物を配置した植栽領域を備え、
前記浴室の開口である浴室窓部に隣接して前記植栽領域が配置され、
前記脱衣室に隣接して前記デッキが設けられていることを特徴とする住宅。
【請求項３】
請求項１または２に記載の住宅であって、
前記ルーバーは、前記脱衣室窓部から５０〜１５０ｃｍの距離に設けられていることを特徴とする住宅。
【請求項４】
請求項１から３の何れか一つに記載の住宅であって、
前記ルーバーの羽板は、敷地外から前記屋外敷地に向かって下方に傾斜していることを特徴とする住宅。
【発明の詳細な説明】
【技術分野】
【０００１】
本発明は、住宅に関し、特に屋外に面した浴室と脱衣室を備える住宅に関する。
【背景技術】
【０００２】
従来から、入浴時に快適な時間を過ごせるように、浴室の外部に庭園等の空間を設けて窓から景色を楽しむ間取りの住宅が提案されている（例えば、特許文献１を参照）。このような住宅では、浴室内から外部を視認可能にするとともに、浴室内が敷地外から見えないように隠蔽する必要があり、住宅内での浴室の位置や外壁の配置などの設計を行っていた。
【先行技術文献】
【特許文献】
【０００３】
【特許文献１】特開２００２−３６４１８７号公報
【発明の概要】
【発明が解決しようとする課題】
【０００４】
しかし、保温性を確保するためと外部からの視線を効果的に遮るためには、浴室に設けられる窓の開口面積を大きくすることには限界があった。そのため、浴室外の空間を浴室から十分に視認できず、確保した空間を有効に利用することが困難であった。また、入浴前後に滞在する脱衣室における時間の過ごし方については考慮されておらず、脱衣から入浴、着衣までの一連の動作での快適さは十分とは言えなかった。
【０００５】
そこで本発明は、上記従来の問題点に鑑みなされたものであり、浴室外の空間を有効に利用して入浴に伴う時間全体の快適性を向上させることが可能な住宅を提供することを目的とする。
【課題を解決するための手段】
【０００６】
上記課題を解決するために、本発明の住宅は、浴室と、前記浴室に隣接する脱衣室と、前記浴室および前記脱衣室に隣接する屋外敷地を備えた住宅であって、前記脱衣室と前記屋外敷地を仕切る掃出窓である脱衣室窓部と、前記屋外敷地において前記脱衣室の床レベルと同じ高さで設けられたデッキと、前記屋外敷地を囲んで立設されたルーバーを備えることを特徴とする。
【０００７】
このような本発明の住宅では、屋外敷地と脱衣室を掃出窓で仕切り、屋外敷地のデッキと脱衣室とを同じ高さとし、ルーバーで屋外敷地を囲んでいることにより、浴室外の空間を有効に利用して入浴に伴う時間全体の快適性を向上させることが可能となる。
【０００８】
また本発明の一態様では、前記屋外敷地に植物を配置した植栽領域を備え、前記浴室の開口である浴室窓部に隣接して前記植栽領域が配置され、前記脱衣室に隣接して前記デッキが設けられている。
【０００９】
また本発明の一態様では、前記ルーバーは、前記脱衣室窓部から５０〜１５０ｃｍの距離に設けられている。
【００１０】
また本発明の一態様では、前記ルーバーの羽板は、敷地外から前記屋外敷地に向かって下方に傾斜している。
【発明の効果】
【００１１】
本発明では、浴室外の空間を有効に利用して入浴に伴う時間全体の快適性を向上させることが可能な住宅を提供することができる。
【図面の簡単な説明】
【００１２】
【図１】第１実施形態における住宅の一階部分を模式的に示す平面図である。
【図２】脱衣室窓部７を開けた状態で脱衣室２から浴室１方向を視認した様子を模式的に示す図である。
【図３】植栽３ａを配置した植栽領域について模式的に示す断面図である。
【発明を実施するための形態】
【００１３】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図１に示すように、本実施形態の住宅は一階に浴室１と、脱衣室２と、屋外敷地３と、デッキ４と、ルーバー５と、浴室窓部６と、脱衣室窓部７を備えている。
【００１４】
浴室１は、住宅の内部に設けられた区画であり、浴槽やシャワー設備等を備えている。浴室１を囲む壁面の一部には浴室窓部６が設けられており、浴室窓部６から外部の屋外敷地３を視認可能となっている。ここでは浴室１に浴槽やシャワー設備を備えた例を示したが、従来から提案されている浴室としての機能を備えていれば、浴室１内に備えられた設備は限定されない。
【００１５】
脱衣室２は、浴室１に隣接した住宅内の区画であり、浴室１の入口ドアを介して浴室１内に移動可能となっている。また、屋外敷地３のうちデッキ４が設けられた領域と脱衣室２とは脱衣室窓部７で仕切られている。脱衣室２は、単に着衣を脱ぐ空間だけを示すものではなく、洗面設備や洗濯設備、排泄設備等を備えていてもよく、用途は限定されない。
【００１６】
屋外敷地３は、浴室１および脱衣室２に隣接する位置において住宅の屋外に設けられた空間である。本実施形態では、その一部は地表面が露出しており、一部はデッキ４が敷設されている。また図１に示すように、屋外敷地３は住宅の浴室窓部６および脱衣室窓部７に沿った方向に略矩形状に設けられており、その三辺にはルーバー５が設けられて囲まれている。ここでは屋外敷地３として略矩形状の例を示しているが、浴室１および脱衣室２に隣接して設けられ、ルーバー５で周囲が囲われていれば形状は限定されない。
【００１７】
デッキ４は、屋外敷地３のうち屋外用の床材を敷設した略平坦な領域である。図１に示すようにデッキ４は、脱衣室窓部７に隣接して設けられている。デッキ４の高さは脱衣室２の床レベルと同じであり、かつ脱衣室窓部７を介して脱衣室２の床と連続して一体の平面を構成している。デッキ４の構造や材質は限定されないが、脱衣室窓部７に隣接する脱衣室２の床面と同様の仕上げを用いることで、脱衣室２と屋外敷地３との空間の連続性が高まるため好ましい。
【００１８】
ルーバー５は、住宅の敷地外から浴室１、脱衣室２および屋外敷地３を視認できないようにするための目隠しであり、後述するように羽板を複数段にわたって配置した構造を有している。またルーバー５は、上述したように屋外敷地３の外周を囲んで設けられており、敷地外から屋外敷地３への立ち入りを妨げる機能を有している。ルーバー５の具体的な構造は限定されないが、敷地外からの視線を有効に遮るためには、２．０ｍ以上の高さを有することが好ましく、住宅一階の天井と同等以上の高さを有することがさらに好ましい。
【００１９】
浴室窓部６は、浴室１と屋外敷地３を仕切る壁に設けられた窓である。浴室窓部６には曇りガラスを用いることが一般的であるが、屋外敷地３を浴室１内から鑑賞するためには、直線的に光を透過する透明ガラスを用いてもよい。本実施形態においては、上述したようにルーバー５で屋外敷地３を隠蔽しているため、浴室窓部６として透明ガラスを用いても敷地外から浴室１内への視線を遮ることができる。
【００２０】
脱衣室窓部７は、脱衣室２と屋外敷地３を仕切る壁に設けられた窓である。脱衣室窓部７は床と同じ高さにサッシが設けられた掃出窓であり、脱衣室窓部７を開けることで脱衣室２と屋外敷地３との間で移動可能となる。脱衣室窓部７に透明ガラスを用いることで、脱衣室２から屋外敷地３、デッキ４およびルーバー５を見渡すことが可能である。脱衣室窓部７の具体的な大きさや構造は限定されないが、成人の目線高さよりも上方までの開口が設けられていると、屋外敷地３とデッキ４を良好に見渡すことができる。
【００２１】
図２は、脱衣室窓部７を開けた状態で脱衣室２から浴室１方向を視認した様子を模式的に示す図である。図２に示すように、脱衣室２内からは、浴室１と、屋外敷地３と、デッキ４と、ルーバー５を見渡すことができる。屋外敷地３には、地表面に植栽３ａが植えられており、本願における植栽領域が構成されている。脱衣室２からは植栽３ａが設けられた植栽領域も視認可能となっている。また、図２では脱衣室窓部７を開けた状態を示しているが、脱衣室窓部７が掃出窓であることから、脱衣室窓部７を閉めた状態であっても脱衣室窓部７を介して屋外敷地３、植栽３ａ、デッキ４およびルーバー５を視認可能となっている。
【００２２】
図２で示したように、デッキ４は脱衣室窓部７に隣接して設けられ、脱衣室２の床面と同じ高さに形成され、脱衣室２とデッキ４とは連続して一体の平面を構成している。これにより、脱衣室２内と屋外敷地３およびデッキ４との境界が曖昧になり、脱衣室２と屋外敷地３およびデッキ４の空間の連続性と解放感を高めることができる。ここで、脱衣室２の床を構成する床材と、デッキ４に用いられる床材とを共通とすることで、脱衣室２とデッキ４の境界がさらに曖昧になり、空間の連続性をより一層高めることができる。
【００２３】
また、屋外敷地３とデッキ４の周囲はルーバー５で囲まれているため、浴室１と脱衣室２と屋外敷地３を一連の空間として認識しやすくなる。また、屋外敷地３の地表面から植栽３ａの上端に至るまで鑑賞することができるため、浴室外の空間である屋外敷地３を有効に利用することが可能となる。
【００２４】
図３は、植栽３ａを配置した植栽領域について模式的に示す断面図である。図３に示したように、浴室１と屋外敷地３とは浴室窓部６で仕切られており、ルーバー５は浴室窓部６および脱衣室窓部７から５０〜１５０ｃｍの距離に設けられている。掃出窓である脱衣室窓部７からこの範囲内にルーバー５を設けることで、植栽３ａを鑑賞するのに十分な空間を確保しつつ、敷地外からの視線を効果的に遮ることができる。
【００２５】
また、図３に示したようにルーバー５は、複数の羽板５ａが並べられた構造を有しており、羽板５ａは敷地外から屋外敷地３に向かって下方に傾斜している。ルーバー５がこのような構造を有することで、太陽光を羽板５ａ間の隙間から屋外敷地３内に取り入れることや、通気性を確保することができる。植栽３ａが配置された植栽領域において太陽光と外気を取り入れることができると、植栽３ａを良好に生育することができる。また、敷地外においてルーバー５に近接して浴室１および脱衣室２方向に視線を向けたとしても、羽板５ａの傾斜によって視線が下方に限定されるため、十分に視線を遮ることができる。
【００２６】
上述したように本発明の住宅では、屋外敷地３と脱衣室２を掃出窓である脱衣室窓部７で仕切り、デッキ４と脱衣室２の床面を同じ高さとし、ルーバー５で屋外敷地３を囲んでいることにより、浴室１外の空間を有効に利用して入浴に伴う時間全体の快適性を向上させることが可能となる。
【００２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００２８】
１…浴室
２…脱衣室
３…屋外敷地
３ａ…植栽
４…デッキ
５…ルーバー
５ａ…羽板
６…浴室窓部
７…脱衣室窓部
【図１】
2020122261.tif 000003
【図２】
2020122261.tif 000004
【図３】
2020122261.tif 000005